(57)【要約】  使用：本発明は、木材に対する最終仕上げ用の縦引き並びに横びきの合同的鋸引き・切断・平削りにおいて利用される円形平削り鋸に属し、木材加工業での利用が可能である。とりわけ、大型の木材に関する高品質的鋸ひき及びに平削り、ベニヤ板、積層処理された板、シップボード、成層の木造板ならびに他の木材同類品あるいは木材を結合された素材の裁断などに利用可能である。  発明の目標：鋸の稼動能率向上  発明の要点：鋸の本体に並べてある右歯及びに左歯は蝸牛（カタツムリ）の形をしつつ、その前面切断部分が「典型方」歯の形をしている。前面切断部分の後部分は後部の削り切り面になりつつある。歯の後部の削り切り面は円盤の一部であるが、円盤の動範囲は円盤の半径より短い。ただし、蝸牛形の歯は鋸の本体に並べてある歯の唯一の種類であり、歯の前面切断部分及びに後部の削り切り面に関しては同じ厚薄であったり異なった厚薄であったりし、その歯の頂点は鋸の同じ円（直径）あるいは別の円（直径）に位置している。
2007518607.tif 000002
【特許請求の範囲】
【請求項１】
構造が工具鋼製の鋼鉄鋸円盤（鋸本体）、その端に並べてある歯（鋼鉄、あるいは一層鉄板付き、複層鉄板付き、ハンダ付け、硬質合金被服、高速度鋼被服、合成超硬素材、合成多結晶質工業用ダイアモンド、ホウ素立方窒化物、窒化物セラミックスを含めての高強度のセラミックスならびに（または）他の硬質素材と超硬素材）のグループ、横の研がれる平面を一つと横の研がれない半径的凸の面を一つ持つ、鋸円盤に交替的に並べられてある円盤の一部になっている右と左の平削り・切断用歯、平削り・切断用歯のグループの次にある直線的切断カット面を持つ切断用歯の厚薄と標準寸法が等しいかまたは異なっており、一枚ずつかグループとして位置され、歯の前面が鋸の動回転方向に向けてあるか、あるいは、両方向に向けられ、動カット面が研がれるかあるいは全てのカット面が研がれ、切断用歯の厚薄が右と左の平削り・切断用歯の厚薄と等しいかあるいはより小さいものを含んでいる形式のものにおいて、
円盤本体に交替的に並べられてある右と左の歯が蝸牛の形をしており、その前面切断部分が「典型的」歯の一部の形をし、円盤の一部になっている歯の後部の平削り・切断部分の動範囲の高さが円盤の当部分の半径より小さく、しかも、蝸牛形歯が鋸本体に並べられてある歯の唯一の種類であるが、歯の前面切断部分ならびに歯の後部の平削り・切断部分の厚薄が等しいかあるいは異なっており、その頂点が鋸の同じ円周（直径）かまたは異なった円周に位置し、歯の後部の平削り・切断部分の横の平面と横の半径的凸の面のいずれかが研がれるか、または、横の両面が研がれることを特徴とする、円形平削り鋸。
【発明の詳細な説明】
【技術分野】
【０００１】
本発明は、木材に対する最終仕上げ用の縦引き並びに横びきの合同的鋸引き・切断・平削りにおいて利用される円形平削り鋸に属し、木材加工業での利用が可能である。とりわけ、大型の木材加工ならびに家具製造においては、例えば、大型木材、ベニヤ板、積層処理された板、シップボード、成層の木造板ならびに他の木材同類品あるいは木材を結合した素材に対する、高品質的（最終仕上げ用）鋸ひき、裁断及びに平削りなどに利用が可能である。
【０００２】
木材の製材においては、歯が木材繊維に垂直にあるいは指定の角度で切る円形鋸（円盤状鋸、丸鋸）が使用されることがよく知られている。このような切り方をする鋸が木材加工工場で現在まで使用され、科学・技術上の文献ではよく説明されている。本発明の同類品である木材製材用の丸鋸はたいてい同じような構造をしている。その構造は円盤（道具用鋼鉄製）とその端に位置する歯（鋼鉄、あるいは一層鉄板付き、ハンダ付け、硬質合金被服、高速度鋼被服、超硬素材、合成超硬素材、合成多結晶質工業用ダイアモンド、ホウ素立方窒化物、窒化物セラミックスを含めての高強度のセラミックス）からなっている。その歯は、形が異なりつつも（後部の形は直線であったり、ジグザグ線であったり、曲がった線であったりする）、前面切断部分と上部（または横の部分）の間の鋭角ならびに回転方向へ向けての角度のため、木材の繊維を挽くことに適している。
【０００３】
既に存在し、よく知られている鋸：版権証明書１２０７７６２クラスＢ２７Ｂ３３／０８による木材切断用丸鋸、版権証明書１２８８０６０クラスＢ２７Ｂ３３／０２による円盤鋸、版権証明書１２４０５８４クラスＢ２７Ｂ３３／０２による交換歯丸鋸、ロシア連邦特許権ＲＵ２０４１７９９クラスＢ２３３／０８添付発明記述による木材切断用措置、ロシア連邦特許権ＲＵ２０４１８００クラスＢ２７Ｂ３３／０８添付発明記述による木材切断用措置、版権証明書６７４８９９クラスＢ２７Ｂ３３／０２による木材横びき切断用円盤鋸、ドイツ特許権２４５９５１４クラスＢ２７Ｂ３３／０８添付発明記述による丸鋸、ドイツ特許権ＤＥ１９９１４５７０クラスＢ２３Ｄ６１／０２添付発明記述による丸鋸（同類品）。短所：鋸稼動能率が不十分である。
【０００４】
その他に、別の同類品が存在し、よく知られている：
−ロシア連邦特許権ＲＵ２０５３８６８クラスＢ２７Ｂ３３／０８添付発明記述による仕上げ用鋸の歯車冠。能率向上及び加工品質向上を目標にし、切断・平削り用歯の切断部分が鋸の動回転方向に向けて半径的凸の形をしている。短所：鋸稼動能率が不十分である。
【０００５】
−ロシア連邦特許権ＲＵ２１５８６７４クラスＢ２７Ｂ３３／０２添付発明記述による木材の仕上げ的縦びき・横びき切断丸い平削り鋸。鋸の構造の単純化及びに機能的可能性の拡大を目標に、右と左の切断・平削り用歯の前面、２番取りの面及びに後部面が研がれ、前面が鋸の円盤の動回転方向（片方または両方）に向いている。短所：鋸稼動能率が不十分である。
【０００６】
−版権証明書１４８８１８９クラスＢ２７Ｂ３３／０２による木材縦びき用丸鋸「Tomahawk」。短所：鋸稼動能率が不十分である。
【０００７】
−ロシア連邦特許権ＲＵ２１２０８５２クラスＢ２７Ｂ３３／０２添付発明記述による木材縦びき平削り用丸鋸（木材完全加工用鋸）。鋸の構造の単純化及びに木材表面加工質の向上を目標に、各歯（切断用部分）は円盤の一部になっている。歯の表面に関しては二つがあり、鋸の円盤本体の片面に位置している一つの平面の動カット面が鋸の円盤表面に対する角度で研がれ、鋸の本体の向こう側表面に位置しているもう一つの表面が、変形的凸の横面が研がれない。短所：鋸稼動能率が不十分である。
【０００８】
−ロシア連邦特許権ＲＵ２１４９１００クラスＢ２７Ｂ３３／０２添付発明記述による仕上げ用木材切断平削り鋸。鋸の構造の単純化及びに木材表面加工質の向上を目標に、円周のセグメントの形をした右と左の切断・平削り用歯のカット面がまっすぐに作られ、鋸の円盤の動回転の二つの方向に向けてカット面が交替的に向けられている。短所：鋸稼動能率が不十分である。
【０００９】
−ロシア連邦特許権ＲＵ２１５８６７５クラスＢ２７Ｂ３３／０２添付発明記述による木材の縦びき・横びき切断丸い平削り鋸。機能的可能性の拡大及びに木材加工質の向上を目標に、歯のグループごとに平削り歯の次にある切断用歯は一つずつ位置するか、又はグループにまとめてあり、その歯は二重になっているか、又は燕尾の形をしている。短所：鋸稼動能率が不十分である。
【００１０】
−ロシア連邦特許権ＲＵ１８９７４クラス７Ｂ２７Ｂ３３／０２添付有益模型記述による縦びき・横引き用丸い平削り鋸。稼動能率向上を目標に、円盤の一部の形をしている平削り・切断用歯のグループの次にある切断用歯の前のカット面は鋸の動回転方向に向けられているか、又は両方向に向けられている。その切断用歯の動カット面の端（あるいは全面）が研がれ、その頂点は平削り・切断用歯の頂点より高い。短所：鋸稼動能率が不十分である。
【００１１】
−ロシア連邦特許権ＲＵ１８０７５クラス７Ｂ２７Ｂ３３／０８、３３／０２添付有益模型記述による縦びき・横引き用丸い平削り鋸。稼動能率向上を目標に、円盤の一部の形をしている平削り・切断用歯のグループの次にある切断用歯は前面、２番取り面、後部面が研がれ、その頂点が平削り・切断用歯の頂点と同直径であるか、又はその直径より高い。短所：鋸稼動能率が不十分である。
【００１２】
今回提案する発明の原型はロシア連邦特許権ＲＵ２１２４９８３クラス７Ｂ２７Ｂ３３／０８添付発明記述による木材の仕上げ用丸い平削り鋸である。鋸の構造の単純化及びに木材表面加工質の向上を目標に、歯の各グループごとに鋸の円盤に交替的に並べてある右と左の平削り・切断用歯が円周の一部の形をしており、鋸の円盤回転の中間平面に対して外側に位置している横の一つの平面が研がれて、そのカット面は鋸の円盤回転の中間平面と同平面に位置しつつ、鋸の円盤回転の中間平面に対して角度で研がれている。他の片面は研がれない半径的凸の面であり、鋸の円盤回転の中間平面と同じ平面に位置しつつ、鋸の円盤回転の中間平面に対して内側に位置している。平削り・切断用歯のグループの次にある切断用歯は一枚ずつまたはグループごとに並べてある。歯の動カット面の端が鋸の動回転方向に向けて研がれるか、または両方向に向けて研がれる。横のカット面が、鋸の円盤回転の中間平面に対して角度で研がれるか、または、鋸の歯の目立てが鋸の円盤回転の中間平面に対して角度で作られる。切断用歯の横のカット面の幅が平削り・切断用歯の挽いた箇所の幅と同じであるか、または、それより小さい。短所：鋸稼動能率が不十分である。
【００１３】
提案する発明の目標は、上述の短所の除去であり、とりわけ、鋸の稼動能率向上である。
【００１４】
提案する発明の要点は、鋸の稼動能率向上を目標に、鋸の本体に交替的に並べてある鋸の右と左の歯が蝸牛（カタツムリ）の形をしつつ、その前面切断部分が「典型的」歯の形をしている。歯の後部の削り切り・切断面は円盤の一部であるが、円盤の動範囲は円盤半径より小さい。ただし、蝸牛形の歯は鋸の本体に並べてある歯の唯一の種類であり、歯の前面切断部分及びに後部の削り切り面に関しては同じ厚薄であったり異なった厚薄であったりし、その歯の頂点は鋸の同じ円周（直径）あるいは別の円周（直径）に位置している。歯の後部の平削り・切断部分は横の平面と半径的凸の面とでは、いずれかの片面が研がれるか、または、横の両面が研がれる。
【００１５】
提案する発明鋸の本体に使用される歯は蝸牛形といった一つだけの種類であり、その歯が右歯と左歯からなっているペアずつ並べられ、各歯がその前面切断部分と、その次にある、円盤の一部になっている後部の平削り・切断面を持っている。このように、提案する発明品の鋸の構造が単純化される、すなわち、歯が蝸牛形といった一種類しかなく、それに、その歯が鋸の円盤に一定の（厳重な）順序に基づいて並べてある。つまり、蝸牛形歯の、必定的に鋸の動回転方向に向けられている、前面切断カット面によって最初は木材が挽かれ、削り屑が切断され、おが屑が取り出され、挽いた箇所ができた後、歯の平削り・切断部分によって、既にできた挽いた箇所範囲において木材の平削り・切断が行われる。そのため、原型に比べると、木材加工が最適化され、従って、提案発明における鋸の稼動能率が上がる。
【００１６】
原型鋸には（平削り・切断用歯ならびに切断用歯といった）二種類の歯があり、その歯が鋸の本体に必ずしも合理的に並べられていた訳ではなく、従って、木材の加工も必然である順序と無関係に行われ、それが木材加工質に悪影響を与えていた。合理的な木材加工は、まず切断用歯が木材に入り込み、木材を挽き、切断し、挽いた箇所をつくった後、平削り・切断用歯が挽いた箇所の横面に対して平削り・切断加工をする、といった場合だけに可能であった。しかし、上述の木材加工過程は原型鋸の場合に狂いだしていた結果、挽いた箇所のない所に平削り・切断用歯が先に入り込んだ後、切断用歯が木材に入り込んでいた。平削り・切断用歯の断面はくさび形であり、挽いた箇所がない所にその歯が入り込むと、挽いた箇所がなかったせい、削り屑を避ける場所がなかったため、摩擦力が急激に増大していた、といったことを考慮に入れなければならない。その結果、木材が堅くなり、その後に変形化され、鋸も過熱されていたことが、鋸にとっても木材にとっても消極的な結果をもたらしていた。このようなことは木材表面の加工質に悪影響を与えていた。
【００１７】
従って、提案する発明鋸にある、二種類の歯の機能を持つ、蝸牛形といった一種類だけの歯があるために、鋸の構造が単純化されるだけではなく、その単純化のため、木材加工質も向上され、後部の平削り・切断部分における過剰な摩擦力の発生理由も除去され、それに、木材加工における他の短所も除去されることが、（原型に比べての）鋸の稼動能率向上を示す。
【００１８】
それだけでなく、鋸の構造が単純化されたこと及びに鋸の本体に蝸牛形歯といった一種類の歯しかない結果、歯の枚数ならびに標準寸法に関係なく、鋸に並べる平削り・切断歯に関しては歯の間隔を必定で同一にすることが可能になっている。その結果、歯の前面切断部分によって同様である挽いた箇所が出来上がり、歯の後部の平削り・切断部分によって木材の平削りが安定する（そのため、同一厚薄の削り屑が出来上がる）だけではなく、（原型の場合、不可能であった）鋸本体の安定した（横うなりなしの）運転を可能にする。原型の鋸においては平削り・切断用歯及びに切断用歯が、一定の順序に従って並べられ、同種類の歯の頂点が同間隔を開けて位置されつつも、異種類の歯の間の間隔が異なっており、つまり、実際にはその頂点の間の間隔が異なっていた。それに、多くの鋸の場合、平削り・切断用歯の枚数と切断用歯の枚数が同じではないことも短所であった。従って、所により木材加工の右と左の表面の質が多少でも異なり、その結果、その所にできる挽いた箇所が非対称的になっていた。それだけでなく、荒仕上げと最終仕上げに関る歯の枚数が多くの場合に異なっていたことも、木材加工質の低下につながっていた。提案発明の鋸には（蝸牛形歯といった）一種類の歯しかなく、その歯がペアになっており、同じ間隔を開けて並べられてあり、しかも、その前面切断部分の頂点だけでなく、後部の平削り・切断部分の頂点もお互いに同間隔を開けて位置している。
【００１９】
提案発明鋸においては右と左の歯の枚数がいつも同じであり、従って、荒仕上げと最終仕上げに関る歯の前面切断部分と歯の後部の平削り・切断部分の数もいつも同じであるだけではなく、その働きもいつも必然的（最適的）順序に従い、同間隔が置かれている。提案発明鋸を使った木材加工の場合、一直線的な挽いた箇所が出来上がり、鋸円盤のうなりが逃れるため、原型鋸に比べて木材加工のもっと高い質が達成されることは、提案発明品が目標を達する、すなわち、（原型に比べての）鋸の稼動能率が向上されることを示す。
【００２０】
提案発明鋸においては同間隔を置いて並べられてある蝸牛形歯といった一種類の歯しかないため、（原型に比べて）静的不均衡の径数の改善が可能になっていることが、加工質の向上に肯定的影響を与えられる、すなわち、鋸の稼動能率向上が実証される。その際、静的不均衡の一定の（容認し得る）径数を達成し、原型鋸のうなりを取り除くために、鋸歯の枚数に関しては（右と左の切断用歯、右と左の平削り・切断用歯といった）４の倍数を守らなければならなかった、つまり、鋸の枚数に関しては１２，１４，１６，１８，２０，２２，２４，２６，２８，３０，３２などのような枚数が可能であった。提案発明鋸においては間に同間隔が置いてある（同じ間が置いてある）一種類の歯しかないため、（原型に比べて）静的不均衡の径数の改善が可能になり、そのために歯の２枚一組といった組み方だけを守らなければならない、つまり、鋸においては１２，１４，１６，１８，２０，２２，２４，２６，２８，３０，３２などのような歯の枚数が可能である。蝸牛形歯といった一種類の歯しかないため、原型鋸に比べて同じ直径でも（歯においては前面切断部分と後部の平削り・切断部分があり、原型鋸の切断用歯と平削り・切断用歯の働きの原理に多少似ているものの、本質的に異なっている）蝸牛形歯を少なくすることが可能になり、（原型に比べて）歯の切断部分と平削り・切断部分の数がより大きくなっているため、荒仕上げと最終仕上げの木材加工の頻度の増加も可能になっている。
【００２１】
提案発明鋸の各蝸牛形歯においては歯の後部の平削り・切断部分が円盤の一部になっており、その後部の半径的凸の片面と平面の片面が研がれて、しかも、歯の平削り・切断部分に関しては横の半径的凸の片面または平面の片面のいずれかの片面が研がれるか、または、横の両面が研がれる。原型鋸においては平削り・切断用歯の片面だけが研がれており、しかも、その片面とは歯の横の平面に限定されていたため、このように研がれる所が限られていた訳であり、なぜならば、研ぎ直し後に平削り・切断用歯の厚薄が急激に減少されるからである。原型鋸における平削り・切断用歯の研ぎ直しの一定の回数後に、その厚薄が切断用歯の厚薄より薄くなってしまい、鋸はその主な特徴を失っていた。というのは、鋸の能率が随分ではなくなり、木材の高質的な加工が出来なくなっていた訳であり、つまり、木材加工が切断用歯だけで行われていたため、それは木材の一般の鋸挽きになっていた。提案発明鋸においては蝸牛形歯といった一種類の歯しかなく、歯の後部の平削り・切断部分が円盤の一部になっており、その歯の後部が横のいずれかの片面が研がれるか、または、横の両面が研がれる。そのため、研ぐ回数が増え、提案発明鋸の歯の後部の平削り・切断部分の半径的凸の部分を研ぐ場合、後部の平削り・切断部分（歯全体として）の厚薄が実際的に殆ど減少せず、従って、（原型に比べて）鋸の稼動能率が向上する。それだけでなく、提案発明鋸の多数の研ぎ直しの際、歯の前面切断部分ならびに歯の後部の平削り・切断部分においての厚薄減少が比例的であり、しかも、可能な研ぎ直しの回数が本質的に増えることが（原型に比べて）鋸の稼動能率の向上を示す。
【００２２】
提案発明鋸においては歯の前面切断部分ならびに歯の後部の平削り・切断部分の厚薄が同じであるか、または異なっており、その頂点が同円周（直径）に位置するか、または、異なった円周（直径）に位置するが、原型鋸の場合は全ての平削り・切断用歯の頂点が同直径にしか位置していなかった。歯の平削り・切断部分の厚薄がその前にある歯の切断部分の厚薄よりいつも厚い場合、歯のより薄い前面切断部分が木材の荒仕上げ（鋸引き）をし、歯のより厚い後部の平削り・切断部分が木材の最終的仕上げ（平削り・切断）をする結果、木材表面の２段的の（荒仕上げと最終仕上げ）加工ができる。
【００２３】
原型鋸を使用し、木質の堅い木材ならびに乾燥した木材の加工の場合及びに木材の横びきの場合、平削り・切断用歯によって削り屑ができ、取り除かれる過程中に、木材表面からの繊維が分離されること及びに（または）引き抜かれることがよく発生していた。提案発明の円形平削り鋸においては蝸牛形歯があるため、前述のような短所が除去され、しかも、その歯の切断部分ならびに平削り・切断部分の順序が限定され、その頂点が異なった円周に位置しているため、木材表面の２段的の（荒仕上げと最終仕上げ）平削りが可能になっている。つまり、鋸の本体に蝸牛形歯といった一種類の歯しかないことによって、異なった硬質ならびに湿度を持つものを含めて、木材の多様な種類の加工をより高質的に実施できることが、（原型に比べての）鋸の稼動能率の向上を示す。すなわち、提案発明の円形平削り鋸において、歯の前面切断部分ならびに歯の後部の平削り・切断部分の頂点を鋸の円盤の異なった円周に位置付けし、歯の部分の厚薄も異なった厚薄にした場合、原型に比べて木材加工の質が上がる。（原型に比べての）鋸の稼動能率向上のため、最低で一枚の右歯と一枚の左歯の前面切断部分を、歯の他の部分に比べて鋸の円盤のより大きい円周で作ること、及びに（あるいは）、最低で一枚の右歯と枚の左歯の後部の平削り・切断部分を歯の他の部分より厚くなく作ることが十分であることを実験が示す。歯の前面切断部分と歯の後部の平削り・切断部分の厚薄差ならびに頂点の間の位置差がミリの十分の一でありつつも、鋸の能率向上が見られる。そのような場合、鋸のより大きい円周に位置している歯の前面切断部分が先に木材に入り込み荒仕上げの鋸挽きをし、次にあるより厚い歯の後部の平削り・切断部分が、その頂点が鋸のより小さい円周に位置しているため、後から木材に入り込み、原型に比べてより効率的に最終仕上げ用の平削りをする。
【００２４】
歯の後部の平削り・切断部分が鋸円盤の一部になっており、しかも、その鋸円盤一部が円盤の当部分の半径より動範囲が小さくしたため、提案発明品の円形平削り鋸の効率向上が可能になっている。鋸の稼動能率が、円盤の一部になっている歯の平削り・切断部分の高さの、その円盤半径に対する相関によることを考慮に入れると、その相関の変更とともに歯の平削り・切断部分の動範囲も変更され、従って、加工質も変更されることが分かる。円盤の一部になっている歯の後部の平削り・切断部分の半径が大きければ大きいほど、木材加工に関るその部分の動範囲も大きくなる、つまり、円盤の一部になっている歯の後部の平削り・切断部分の高さがその円盤の半径より短くなければならないことを実験が示している。歯の平削り・切断部分の刃が円弧の形をしていることを考慮に入れ、木材の平削り・切断過程に関る、円弧の形をした平削り・切断部分の刃の長さを原型鋸の平削り・切断用歯の高さより大きくする。原型鋸の場合、平削り・切断部分用歯の高さが円盤の半径に等しいか、あるいはその半径より大きい。実験によると（原型に比べての）鋸の稼動能率向上を達成するため、円盤の一部になっている蝸牛形歯の平削り・切断部分の高さに関してはその円盤半径の４分の１から６分の１までの間が望ましい。原型鋸においては平削り・切断用歯が前述の相関に関係なく作られ、平削り・切断用歯の高さが円盤半径に等しかったか、あるいはそれより大きかったため、歯による木材に対する入り込み角度がより大きく、平削り・切断用歯の動範囲がより小さかった。その際、平削り・切断用歯と切断用歯の入り込み順序が最適ではないこともあった。それに対して、提案発明鋸の蝸牛形歯は後部の平削り・切断部分のより大きい動範囲を使い、その範囲が木材の切断・平削りにかかわり、しかも、歯の切断部分がいつも先に木材に入り込み、その後で歯の平削り・切断部分が入り込むことも、（原型に比べての）鋸の稼動能率向上を示す。
【００２５】
その上、提案発明品の円形平削り鋸の蝸牛形歯の場合、前面切断部分ならびに後部の平削り・切断部分の厚薄が異なっていること及び（あるいは）そのカット面の頂点が鋸の異なった円周（直径）に位置するため、一つの鋸において切断鋸と主鋸の機能を組み合わせることが可能になる。その切断鋸と主鋸は木材加工機及びに工程線において続いて並べられ、例えば、ベニヤ板、積層処理された板、成層の木造板ならびに他の木材同類品に対する高精度的・高質的鋸挽き・裁断の場合に使用される。その組み合わせのため、前述の木材に対する加工がより効率的に行われる、つまり、（原型に比べての）提案発明鋸の稼動能率向上が示される。そのような場合、歯の頂点が鋸のより大きい円周に位置する、厚薄のより薄い歯の切断部分が、切断鋸の機能を果たし、歯の後部の平削り・切断部分によってできる挽いた箇所に比べて、挽いた箇所のより狭い幅で木材の鋸挽きをする。厚薄のより大きい歯及びに（あるいは）頂点が鋸のより小さい円周に位置する歯の後部の平削り・切断部分は主鋸の機能を果たしている。その際、その歯は既に加工された木材の表面をきれいにするだけではなく、例えば、上述のように、その表面を（原型に比べて）より高い質で平削りする。このようにして、複数の鋸の機能が一つの鋸において組み合わせされることも示され、つまり、鋸の機能的可能性が拡大されることによって（原型に比べての）鋸の稼動能率向上が示される。
【００２６】
提案発明品の円形平削り鋸は木材の平削りのためにも使用が可能である。その際、上述のとおり、平削りされた木材表面の質も（原型に比べて）高まるので、鋸の稼動能率向上が示される。
【００２７】
従って、上述のとおり、提案発明品の円形平削り鋸の稼動能率向上が原型に比べて、提案発明品の新機軸の特徴の一つである蝸牛形歯だけを使用した場合においても高まることも、（原型に比べての）鋸の稼動能率向上が示される。
【００２８】
図１は、硬質合金のシートがハンダ付けされた蝸牛形歯を持つ円形平削り鋸の全体図であり、
図２は、図１の円形平削り鋸の拡大された一部であり、蝸牛形歯の厚薄が異なっており、その前面切断部分ならびに後部の平削り・切断部分の頂点が鋸の異なった円周に位置しており、
図３は、図２の直径断面であり、
図４は、蝸牛形歯の平削り・切断部分の高さｈの活動範囲である。
【００２９】
円形平削り鋸は、合金鋼で作られた鋸本体（鋸円盤）（１）、鋸本体（１）に交替的に並べられてある（例えば、鋼鉄の、または、硬質合金シート付けの）右と左の蝸牛形歯（２）と（３）からなっており、右と左の歯の前面切断部分（４）が「典型的」歯の一部の形をし、その後部壁（５）が直線的であったりジグザグ線であったり曲がった線であったりし、その後部壁が円盤の一部になっている後部の平削り・切断部分（６）につながり、しかも、歯の前面切断部分（４）の頂点（Ａ）と歯の後部の平削り・切断部分（６）の頂点（Ｃ）が鋸の同じの円周（Ｄ）に位置するか、あるいは、鋸の異なった円周（直径）（Ｄ）と（Ｄ１）に位置し、歯の前面切断部分（４）の厚薄（Ｂ）がその次にある歯の後部の平削り・切断部分（６）の厚薄（Ｂ１）より薄く、しかも、歯の後部の平削り・切断部分（６）が円盤の１／２より小さく、動範囲の高さ（ｈ）が円盤の当部分の半径（ｒ）より小さく、歯の後部の平削り・切断部分（６）の横の平面（７）と横の半径的凸の面（８）のいずれかが研がれるか、または、横の両面（７）と（８）が研がれる。
【００３０】
鋸は次のように働きをする（作成の一つの例：円盤の本体に交替的に並べられてある右と左の蝸牛形歯（２）と（３）の前面切断部分（４）が「典型的」歯の一部の形をし、円盤の一部になっている歯の後部の平削り・切断部分（６）の厚薄（Ｂ）と厚薄（Ｂ１）が異なっており、その頂点（Ａ）と（Ｃ）が鋸の異なった円周（Ｄ）と（Ｄ１）に位置し、しかも、歯の後部の平削り・切断部分（６）が円盤の１／２より小さく、高さ（ｈ）が円盤の当部分の半径（ｒ）より小さく、歯の後部の平削り・切断部分（６）の横の平面（７）と横の半径的凸の面（８）のいずれかが研がれるか、または、横の両面（７）と（８）が研がれる。
【００３１】
鋸円盤（１９）の回転の際、右と蝸牛形歯（２）の、その後部壁（５）が直線的であったりジグザグ線であったり曲がった線であったりする前面切断部分（４）が木材に入り込み、（しかも、歯の前面切断部分（４）の頂点（Ａ）が鋸の円周（Ｄ）に位置し、その次にある、鋸のより小さい円周（Ｄ）に位置する、歯の後部の平削り・切断部分（６）の頂点（Ｃ）より高く位置しているが、歯の前面切断部分（４）の厚薄（Ｂ）がその次にある歯の後部の平削り・切断部分（６）の厚薄（Ｂ１）より薄い）、木材の繊維を分解し、裂き、切断し、木材にできた挽いた箇所から木材の砕かれた繊維をおが屑として取り出し、挽いた箇所の中にある削り屑を切断し、細かく切り、取り出し、しかも、同時に木材の荒仕上げ加工が行われる。歯の前面切断部分（４）の次に、その頂点（Ｃ）が鋸の円周（直径）（Ｄ１）に位置する、厚薄（Ｂ１）を持つ円盤の一部になっている歯の後部の平削り・切断部分（６）が木材に入り込み、木材の最終仕上げ用切断・平削りを行い、削り屑を作り、それを挽いた箇所の中心部の方に向けて寄せる。その後、次の左の蝸牛形歯（３）が木材に入り込み、前述の過程が繰り返される。
【００３２】
その際、均質的に研がれた後部の平削り・切断部分（６）は円盤の一部の形をしていること及びに歯の動範囲の高さ（ｈ）が円盤の当部分の半径（ｒ）より小さいため、平削り盤における平削り刃による木材の鋸挽き・平削りの一定の段階と同様に、または、張り板・平削り盤におけるギロチン型刃による切断過程と同様に、木材の鋸挽き・平削りを実施しているため、平削り盤ならびに張り板・平削り盤における木材加工の質と比較できるような、木材表面の加工の高質が達成できる。
【００３３】
木材表面の平削りといった一つだけの過程を実施するため、木材の鋸挽き・切断・平削りの厚薄を円形平削り鋸の厚薄に等しく、または、円形平削り鋸の厚薄より薄く指定しなければならなく、その際、木材のより節約的な平削りを達成するために、木材の取り除かれる層の厚薄が円形平削り鋸本体の厚薄より薄くしなければならない。
【図面の簡単な説明】
【００３４】
【図１】硬質合金のシートがハンダ付けされた蝸牛形歯を持つ円形平削り鋸の全体図。
【図２】図１の円形平削り鋸の拡大された一部であり、蝸牛形歯の厚薄が異なっており、その前面切断部分ならびに後部の平削り・切断部分の頂点が鋸の異なった円周に位置している。
【図３】図２の直径断面図。
【図４】蝸牛形歯の平削り・切断部分の高さｈの活動範囲である。
【図１】
2007518607.tif 000003
【図２】
2007518607.tif 000004
【図３】
2007518607.tif 000005
【図４】
2007518607.tif 000006
【国際調査報告】
2007518607.tif 000007
2007518607.tif 000008